(57)【要約】【課題】治療回数・治療時間を正しく把握して表示できる低周波治療装置を提供する。【解決手段】治療が開始されると治療回数・治療時間が計測される（ステップＳ１）。パラメータ保護モード、標準モードのパラメータの内容の比較精査が行われパラメータ内容が同一であるか否か（ステップＳ２）、５分経過したかを判定する（ステップＳ３）。５分経過していなければ、電源ＳＷ（スイッチ）がＯＦＦされたかを検出する（ステップＳ４）。ＯＦＦされてなければステップＳ１に戻り、治療回数・治療時間を計測しながら次のステップＳ３、Ｓ４により５分以内に電源が切られていないかを調べる。電源が切られずに５分経過したら、それまでの治療回数・治療時間のデータをメモリに取り込んだ後（ステップＳ５）、終了する。また、ステップＳ３、Ｓ４で５分以内に電源ＳＷ９がＯＦＦされたことが検出されたときは終了する。【選択図】        図３
2004337298.tif 000002
【特許請求の範囲】
【請求項１】
身体の所定部位に電極を介して低周波パルス電圧を与えることにより治療を行う低周波治療装置において、
前記低周波パルスを出力して治療を行う治療回数及び／又は治療時間を計測する計測手段と、
前記治療開始から所定時間を計測するタイマ手段と、
電源の遮断を検出する検出手段と、
前記電源が遮断されず、施術者の設定パラメータを使用して治療が行われ、かつ前記所定時間が経過したとき前記計測手段が計測した治療回数及び／又は治療時間を取り込んで記憶する記憶手段とを備えたことを特徴とする低周波治療装置。
【請求項２】
低周波パルスの各種パラメータを設定するパラメータ設定手段と、
前記設定されたパラメータを記憶するパラメータ記憶手段を設けたことを特徴とする請求項１記載の低周波治療装置。
【請求項３】
前記パラメータは、前記低周波パルスのレベル、周波数、パルス幅、治療時間等の全部又はいずれかであることを特徴とする請求項１又は２記載の低周波治療装置。
【請求項４】
前記記憶手段は、前記治療回数、治療時間、消費電流、消費電力の全部又はいずれかを記憶することを特徴とする請求項１、２又は３記載の低周波治療装置。
【請求項５】
前記治療開始から消費電流又は消費電力が所定値に達したことを検出する検出手段を前記タイマ手段に代えて設け、前記記憶手段は、前記電源が遮断されず、施術者の設定パラメータを使用して治療が行われ、かつ前記所定値に達したことが検出されたとき前記治療回数及び／又は治療時間を取り込んで記憶することを特徴とすることを特徴とする請求項１〜４のいずれか１項記載の低周波治療装置。
【請求項６】
前記記憶手段の内容を表示する表示手段を設けたことを特徴とする請求項１〜５のいずれか１項記載の低周波治療装置。
【請求項７】
身体の所定部位に電極を介して低周波パルス電圧を与えることにより治療を行う低周波治療装置において、
前記低周波パルスを発生するスイッチングレギュレータ方式によるパルス発生手段と、
前記パルス発生手段に供給される電源をこのパルス発生手段を構成するスイッチング素子のＯＦＦの期間に遮断する遮断手段とを備えたことを特徴とする低周波治療装置。
【請求項８】
前記遮断手段は、前記スイッチング素子と直列に接続され、このスイッチング素子と同期してＯＮ・ＯＦＦされることにより前記スイッチング素子への電源を遮断するようになされた他のスイッチング素子であることを特徴とする請求項７記載の低周波治療装置。
【請求項９】
前記パルス発生手段に供給するスイッチングパルス周波数を３０ｋＨｚ前後以上としたことを特徴とする請求項８記載の低周波治療装置。
【請求項１０】
身体の所定部位に電極を介して低周波パルス電圧を与えることにより治療を行う低周波治療方法において、
前記低周波パルスを出力して治療を行う治療回数及び／又は治療時間を計測すると共に、前記治療開始から所定時間を計測し、かつ電源の遮断を検出するようになし、
前記電源が遮断されず、施術者の設定パラメータを使用して治療が行われ、かつ前記所定時間が経過したとき前記計測した治療回数及び／又は治療時間を取り込んで記憶することを特徴とする低周波治療方法。
【請求項１１】
低周波パルスの各種パラメータ値を設定するようになすと共に、設定されたパラメータ値を記憶することを特徴とする請求項１０記載の低周波治療方法。
【請求項１２】
低周波パルスを出力して治療を行う治療回数及び／又は治療時間を計測する計測処理と、
前記治療開始から所定時間を計測するタイマ処理と、
電源の遮断を検出する検出処理と、
前記電源が遮断されず、施術者の設定パラメータを使用して治療が行われ、かつ前記所定時間が経過したとき前記計測処理により計測した治療回数及び／又は治療時間を取り込んで記憶する記憶処理とをコンピュータに実行させるプログラム。
【請求項１３】
低周波パルスの各種パラメータ値を設定するパラメータ設定処理と、
前記設定されたパラメータ値を記憶する記憶処理とをコンピュータに実行させることを特徴とする請求項１２記載のプログラム。
【請求項１４】
請求項１２又は１３記載のプログラムを記録した記録媒体。
【発明の詳細な説明】
【０００１】
【発明の属する技術分野】
本発明は、身体に低周波パルスを通電して筋肉や神経を刺激することにより治療を行う低周波治療装置、方法、この装置、方法で用いられるプログラム、このプログラムを記録する記録媒体に関するものである。
【０００２】
【従来の技術】
従来より、腕、ウェスト、等の身体の所定部位に電極を介してパルス状の低周波電流を与え、その部分の筋肉を収縮させることにより、ダイエットや筋肉を鍛えたり、痛みや凝りを取る等の治療を行うようにした低周波治療装置が知られている（例えば、特許文献１、特許文献２）。
【０００３】
【特許文献１】
特開２００３−１０１４５号公報
【特許文献２】
特開２００２−３４５９７９号公報
【０００４】
このような低周波治療装置においては、医師や理学療法士等が施術者としてユーザ（患者）の相談にのり、ユーザの容態に合わせて治療に必要な各種パラメータを処方しそれを装置に設定する。パラメータとしては、低周波パルスの周波数、レベル、パルス幅、治療時間等がある。ユーザはパラメータが設定された低周波治療装置を持ち帰り、自宅等で用いて治療を行う。使用に際しては、ユーザが電極を身体の所定部位に取り付けて装置を動作させると、設定されたパラメータを用いた治療モードで作動する。
【０００５】
ユーザは所定の治療が終了すると再び施術者を訪れ、施術者はユーザに所定の質問をし、ユーザの答えに基づいて治療の成果を検討する。そして必要に応じて次回の治療のためのパラメータを設定する。
【０００６】
また、従来の低周波治療装置においては、低周波パルス発生のためにスイッチングレギュレータ方式によるパルス発生回路が用いられている。図５（ａ）は従来のパルス発生回路の要部の構成を示す回路図である。
図５（ａ）において、入力端子５０には例えば１０ｋＨｚのスイッチングパルスが抵抗Ｒ１を介して入力され、トランジスタＱ１をスイッチングする。トランジスタＱ１がＯＮのとき電源電圧ＶｐｐからインダクタンスＬにエネルギーが蓄えられ、トランジスタＱ１がＯＦＦのとき蓄えられたエネルギーによりダイオードＤを介してコンデンサＣが充電される。このようにしてコンデンサＣの電圧が昇圧される。この昇圧出力は後段の回路により極性切り替えが行われて図５（ｂ）に示すような例えば１〜１００Ｈｚ程度の両極性矩形波の低周波パルスを得ることができる。
【０００７】
【発明が解決しようとする課題】
しかしながら、前述した従来の低周波治療装置においては、ユーザが施術者の質問に応じて治療結果を報告する際、例えば、実際には治療を行っていないのに治療を行った。あるいは施術者の設定したパラメータとは異なるパラメータで治療していたのに施術者の設定したパラメータで治療をした。あるいは実行した治療回数や治療時間を実際とは違うものを報告するなどの問題があった。
【０００８】
また、図５（ａ）の従来のスイッチングレギュレータ方式によるパルス発生回路では、昇圧出力としては電源電圧Ｖｐｐ（例えば１２Ｖ）以下の電圧を得ることができないという問題があった。低周波治療装置においては、出力電圧として１〜４５Ｖの電圧を１Ｖ刻みで調整でき、かつ最初は必ず１Ｖから始まるようにして、身体にいきなり高電圧がかからないようにすることが要求されている。図５（ａ）の回路では、電源電圧Ｖｐｐ以下の電圧を得ることができないので、上記の要求を満たすことができないという問題があった。
【０００９】
本発明は上記の問題を解決するためのもので、治療回数・治療時間を正しく把握して表示できる低周波治療装置を提供することを目的とするものである。
また、本発明は、出力電圧を１Ｖからスタートできる低周波治療装置を提供することを目的とするものである。
【００１０】
【課題を解決するための手段】
上記の目的を達成するために本発明による低周波治療装置は、身体の所定部位に電極を介して低周波パルス電圧を与えることにより治療を行う低周波治療装置において、前記低周波パルスを出力して治療を行う治療回数及び／又は治療時間を計測する計測手段と、前記治療開始から所定時間を計測するタイマ手段と、電源の遮断を検出する検出手段と、前記電源が遮断されず、施術者の設定パラメータを使用して治療が行われ、かつ前記所定時間が経過したとき前記計測手段が計測した治療回数及び／又は治療時間を取り込んで記憶する記憶手段とを備えたことを特徴とするものである。
【００１１】
また、本発明による低周波治療装置は、身体の所定部位に電極を介して低周波パルス電圧を与えることにより治療を行う低周波治療装置において、前記低周波パルスを発生するスイッチングレギュレータ方式によるパルス発生手段と、前記パルス発生手段に供給される電源電圧をこのパルス発生手段を構成するスイッチング素子のＯＦＦの期間に遮断する遮断手段とを備えたことを特徴とするものである。
【００１２】
本発明による低周波治療方法は、身体の所定部位に電極を介して低周波パルス電圧を与えることにより治療を行う低周波治療方法において、前記低周波パルスを出力して治療を行う治療回数及び／又は治療時間を計測すると共に、前記治療開始から所定時間を計測し、かつ電源の遮断を検出するようになし、前記電源が遮断されず施術者の設定パラメータを使用して治療が行われ、かつ前記所定時間が経過したとき前記計測した治療回数及び／又は治療時間を取り込んで記憶することを特徴とするものである。
【００１３】
本発明によるプログラムは、低周波パルスを出力して治療を行う治療回数及び／又は治療時間を計測する計測処理と、前記治療開始から所定時間を計測するタイマ処理と、電源の遮断を検出する検出処理と、前記電源が遮断されず施術者の設定パラメータを使用して治療が行われ、かつ前記所定時間が経過したとき前記計測処理により計測した治療回数及び／又は治療時間を取り込んで記憶する記憶処理とをコンピュータに実行させるプログラムである。
また、本発明による記録媒体は、前記プログラムを記録したものである。
【００１４】
【作用】
従って、本発明によれば、治療中に電源が遮断されずに所定時間が経過したとき計測された治療回数及び／又は治療時間を記憶するので、低周波治療装置の治療回数・治療時間を正しく把握することができ、またこれを表示することができる。
【００１５】
また、本発明によれば、スイッチング素子のＯＦＦの期間に電源を遮断するので、電源からのコンデンサへの電流の流入がなく、このためコンデンサの電圧を電源電圧以下にすることができる。
【００１６】
【発明の実施の形態】
以下、本発明の実施の形態を図面と共に説明する。
図１（ａ）（ｂ）は本発明の第１の実施の形態による低周波治療装置を示す外観図及び正面図である。本実施の形態による低周波治療装置は、ＣＨ１，ＣＨ２の２チャンネルの低周波パルス出力を有するものである。
図１（ａ）（ｂ）において、筐体１０の上面にはＣＨ１、ＣＨ２の低周波パルス出力端子１５，１６が設けられている。各出力端子１５，１６には、一対の電極１７がリード線１８を介して接続されたプラグ１９がそれぞれ接続可能になされており、２チャンネル同時に治療が可能になされている。
【００１７】
筐体１０の側面には、１２個の押しボタンによる各種ＳＷ（スイッチ）１〜９が設けられると共に、液晶表示部１４が設けられている。ＳＷ１〜９は、それぞれＣＨ１出力アップ・ダウンＳＷ１、ＣＨ２出力アップ・ダウンＳＷ２、パラメータ設定アップ・ダウンＳＷ３、パラメータ選択ＳＷ４、出力モード選択ＳＷ５、キーロックＳＷ６、交互ＳＷ７、治療回数／治療時間表示ＳＷ８、電源ＳＷ９である。
【００１８】
液晶表示部１４には、ＣＨ１出力表示部１１、ＣＨ２出力表示部１２及び出力モード表示部１３が設けられている。ＣＨ１出力表示部１１、ＣＨ２出力表示部１２には、それぞれ出力（レベル）、周波数、パルス幅、治療回数・治療時間、その他必要な表示が数値等でなされる。出力モード表示部１３には、選択された出力モードが表示される。
【００１９】
出力モードとしては、一定出力・周波数のパルスを出力するＣＯＮＳＴモード、  一定出力・周波数のパルスを周期的に一定期間ずつ出力するＢＵＲＳＴモード、一定出力・周波数のパルスを漸次増大から漸次減少させて出力するＳＵＲＧＥモード、一定出力で周波数をスイープさせて出力するＳＷＥＥＰモード、一定出力で周波数をランダムに変化させて出力するＲＡＮＤＯＭモード等の５つの出力パターンを示すモードがある。そのうちの１つの出力モードが選択されると、そのシンボルマークが出力モード表示部１３に表示される。
【００２０】
図２は低周波治療装置の電気的な構成を示すブロック図である。
図２において、乾電池を用いた電源２０から出力される電源電圧ＶｃｃはＣＰＵ２１、メモリ２２、その他の必要な回路に供給される。また、この電圧Ｖｃｃは電源電圧昇圧部２３で昇圧され、回路保護素子２４で保護された後、ＣＰＵ２１により制御される電源切替部２５により切替えられて２チャンネルの電圧Ｖｐｐ１，Ｖｐｐ２となり、ＣＰＵ２１で制御されるＣＨ１出力電圧昇圧部２６及びＣＨ２出力電圧昇圧部２７にそれぞれ供給される。
【００２１】
ＣＨ１出力電圧昇圧部２６で昇圧された電圧はＣＨ１出力極性切替部２８で極性が切替えられて、図５（ｂ）のような低周波パルスとなり、前記出力端子１５から出力される。ＣＨ２出力電圧昇圧部２７で昇圧された電圧はＣＨ２出力極性切替部２９で極性が切替えられて同様の低周波パルスとなり、前記出力端子１６から出力される。尚、ＣＨ１出力極性切替部２８、ＣＨ２出力極性切替部２９はＣＰＵ２１により制御される。
【００２２】
ＣＰＵ２１には、ＥＥＰＲＯＭからなるメモリ２２が接続されると共に、前記液晶表示部１４が接続されている。ＣＰＵ２１にはさらに前述した１２個の押しボタンによるＳＷ１〜９及びパワーオンリセット行うリセット部３０が接続され、さらにクロックを発生する原発振器３１が接続されている。また、ＣＰＵ２１は電源電圧監視部３２により電源電圧Ｖｃｃを監視している。尚、制御プログラム用ＲＯＭ、作業用ＲＡＭ等のメモリはＣＰＵ２１と共にワンチップに構成されている。
【００２３】
次に、上記構成による動作について説明する。
本実施の形態による低周波治療装置は、標準モード、パラメータ保護モード、パラメータ設定モード及び治療回数／時間表示モーで選択的に動作する。次に、各モードについて概略的に説明する。
【００２４】
まず、標準モードについて説明する。
電源ＳＷ９により電源を投入すると標準モードになる。まず、出力モード選択ＳＷ５によりＣＯＮＳＴ、ＢＵＲＳＴ、ＳＵＲＧＥ、ＳＷＥＥＰ、ＲＡＮＤＯＭのうちの１つの出力モードを選択する。次に、ＣＨ１出力アップ・ダウンＳＷ１、ＣＨ２及び出力アップ・ダウンＳＷ２を用いてＣＨ１、ＣＨ２の各出力（レベル、強さ）を調整する。出力は０〜４５Ｖの間で１Ｖ刻みで調整でき、１Ｖから低周波パルスの出力が開始される。また、出力開始と同時にタイマがカウントを開始し、後述によりタイマ設定された治療時間が経過すると出力が０になる。
【００２５】
また、キーロックＳＷ６を押すと、このキーロックＳＷ６と電源ＳＷ９以外の操作は無効となり、再び押すとキーロックが解除される。キーロックＳＷ６は標準モード時のみ有効である。また、ＳＵＲＧＥモードのとき、交互ＳＷ７を押すとＣＨ１とＣＨ２の出力が交互に行われ、再び押すと交互出力は行われなくなる。
また、キーロックＳＷ６、交互ＳＷ７及び治療回数／治療時間表示ＳＷ８を同時に押すことにより、メモリ２２に記憶されていた値がデフォルト値に書き換え始められ、その間液晶表示が点滅し、書き換えが終了するとリセットされる。
【００２６】
次に、上記標準モードにおいて出力が０のときに、パラメータ選択ＳＷ４と出力モード選択ＳＷ５を同時に押すとパラメータ保護モードに移行する。パラメータ保護モードでは、まず出力モード選択ＳＷ５により出力モードを選択する。ＲＡＮＤＯＭを除くＣＯＮＳＴ、ＢＵＲＳＴ、ＳＵＲＧＥ、ＳＷＥＥＰのいずれかを選択した場合は、まず、パラメータ設定アップ・ダウンＳＷ３により出力周波数を設定する。次に、パラメータ設定アップ・ダウンＳＷ３により出力パルス幅を設定し、さらにパラメータ設定アップ・ダウンＳＷ３により治療時間をタイマ設定する。最後にＣＨ１出力アップ・ダウンＳＷ１及びＣＨ２出力アップ・ダウンＳＷ２を用いて各チャンネル出力を調整する。
尚、最初にユーザの身体に電極１７を付けた状態で出力調整を行い、ユーザに体感させながら出力設定を行うようにしてもよい。
【００２７】
また、ＲＡＮＤＯＭモードの場合は、パラメータ設定アップ・ダウンＳＷ３により治療時間の設定のみ行った後、ＣＨ１出力アップ・ダウンＳＷ１及びＣＨ２出力アップ・ダウンＳＷ２により出力の調整を行う。
【００２８】
上記各設定後はパラメータ選択ＳＷ４を押して確定する。また、設定された各パラメータの値は図２のメモリ２２に記憶される。
尚、このパラメータ保護モードでは、タイマ設定とは無関係に最大１５分で治療が終了する。また、再びパラメータ選択ＳＷ４と出力モード選択ＳＷ５とを同時に押すとパラメータ保護モードは解除される。また、パラメータ設定中は各パラメータ値は記憶されず、パラメータ保護モードが解除されると設定された各パラメータ値がメモリ２２に記憶される。また、治療中に電源ＯＦＦになると、その直前のパラメータ値が記憶される。
【００２９】
次に、標準モードにおいて出力０のとき、パラメータ選択ＳＷ４を押すとパラメータ設定モードに移行する。このモードでは上述したパラメータ保護モードと同様にして出力モードの選択、周波数、パルス幅、治療時間等の設定及び確定を行い、各パラメータ値はメモリに記憶される。このパラメータ設定モードは、出力が０である以外はパラメータ保護モードと同様に行われる。
【００３０】
次に、標準モードにおいて出力０のとき、治療回数／治療時間表示ＳＷ８を押すと、治療回数／治療時間表示モードに以降する。このモードでは、まずそれまでの治療回数が表示される。再度治療回数／治療時間表示ＳＷ８を押すとそれまでの治療時間が表示される。この治療時間表示状態で、治療回数／治療時間表示ＳＷ８をさらに押すと表示が点滅し、もう一度押すと治療回数・治療時間のデータがクリアされると共に、標準モードに戻る。
上記治療回数・治療時間は治療中に計測され、治療が終了するごとにメモリ２２にそれまでの値と累積されて記憶される。
【００３１】
本実施の形態においては、ユーザが治療を開始してから所定時間（例えば５分）が経過したとき、上記治療回数・治療時間のデータ（その５分間での回数・時間を含むデータ）をメモリ２２に取り込むようにしている。即ち、ユーザが治療を開始してから例えば５分以内に電源を切って治療をやめてしまった場合は、その間の治療回数・治療時間がメモリに累積されないので、その後、施術者がメモリの内容をチェックすることにより、もしユーザが虚偽の報告をした場合でも施術者は正しい値を知ることができる。
【００３２】
図３は上記の動作を行うフローチャートである。
図３において、治療が開始されると治療回数・治療時間が計測される（ステップＳ１）。次に、施術者の設定したパラメータメモリと標準モードメモリのパラメータが一致しているか否か、すなわちパラメータの整合を判定し（ステップＳ２）、一致する場合は、５分経過したかを判定する（ステップＳ３）。一致しない場合、所定時間経過してタイムアップしたか否かを判断する（ステップＳ４）。タイムアップした場合には、スイッチを手動操作することによって、あるいは所定時間の放置によって自動的に電源がＯＦＦにされて（ステップＳ６）終了する。タイムアップしていなければ、ステップＳ１に戻り、治療回数・治療時間の計測を続けながらステップＳ３により５分以内に電源が切られていないかを調べる。電源が切られずに５分経過したら、それまでの治療回数・治療時間を計測したデータをメモリ２２に取り込んだ後（ステップＳ５）、ステップＳ４におけるタイムアップの判定以下の処理が行われる。
【００３３】
本実施の形態によれば、治療を開始してから所定時間が経過し、かつ施術者の設定したパラメータメモリと標準モードメモリのパラメータが一致している場合は、治療回数・治療時間のデータをメモリに取り込むようにしたので、これを表示することにより、施術者はユーザが用いた低周波治療装置の治療回数・治療時間を正しく把握して次回のパラメータの設定を行うことができる。
また、上記所定時間の間にユーザが何回も電源をＯＮ・ＯＦＦしたり、パラメータを色々変更したりして状態が一定しない場合は、その間の変化はノイズとして無視されるので、確実に治療回数・治療時間を検出することができる。
また、設定されたパラメータ、及び電源ＯＦＦ直前のパラメータを記憶するので、これを表示することにより、いつでも設定されたパラメータ値を知ることができると共に、再利用することができる。
【００３４】
尚、本実施の形態では、治療回数・治療時間をメモリに取り込む場合を説明したが、このほか例えば出力電流、消費電流、消費電力等をメモリに取り込むようにしてもよい。
また、本実施の形態では、上記メモリに取り込むタイミングを所定時間が経過したときとしたが、このほか例えば出力電流、消費電流、消費電力等が所定値に達したときとしてもよい。また、施術者の処方による治療が確実に行われたか否かを確認するため、施術者が設定したパラメータを患者が変更して治療した場合は、治療時間としてカウントされないよう構成されている。即ち治療開始時あるいは開始後において標準モードとパラメータ保護モードのパラメータが整合している場合のみ、そのまま治療を続ける事で一定時間経過後に治療カウントされる。パラメータが整合していない場合は患者が施術者の設定したパラメータを変更したものと判断し、治療時間はカウントされない。
また、治療開始前においても前記同様標準モードとパラメータ保護モードのパラメータが整合しているか否かの確認ができ整合している場合は、そのまま治療を続ける事で一定時間経過後に治療カウントされる。
【００３５】
図４は本発明の第２の実施の形態による低周波治療装置におけるパルス発生回路の要部の構成図であり、図５（ａ）と対応する部分には同一番号を付して重複する説明は省略する。
本実施の形態においては、ＮＰＮ型トランジスタＱ１に対してＰＮＰ型トランジスタＱ２を図示のように直列に接続し、トランジスタＱ１を動作させるスイッチングパルスをインバータＩＮ及び抵抗Ｒ２を介してトランジスタＱ２にも供給するようにしたものである。また、スイッチングパルスとして従来の１０ｋＨｚ前後より高い例えば３１ｋＨｚ程度以上の周波数のパルスを用いている。
【００３６】
本実施の形態によれば、トランジスタＱ１、Ｑ２は共通のスイッチングパルスにより同期してＯＮ、ＯＦＦし、ＯＦＦのとき電源電圧Ｖｐｐが遮断されるので、電源からの電流のコンデンサＣへの流入がなく、このためコンデンサＣの端子電圧を電源電圧Ｖｐｐ（例えば１２Ｖ）以下にすることができる。また、スイッチングの周波数を高くしたので出力電圧の分解能が高くなり、例えば１Ｖ刻みで調整することができる。
【００３７】
次に、本実施の形態によるプログラム及びこのプログラムを記録する記録媒体について説明する。
図１の動作に基づく処理及び図３のフローチャートに示す処理を、本発明による装置におけるコンピュータシステムのＣＰＵが実行するためのプログラムは、本発明によるプログラムを構成する。
【００３８】
また、このプログラムを記録するための記録媒体は、本発明によるコンピュータ読み取り可能な記録媒体を構成する。この記録媒体としては、光磁気ディスク、光ディスク、半導体メモリ、磁気記録媒体等を用いることができ、これらをＲＯＭ，ＲＡＭ，ＣＤ−ＲＯＭ，フレキシブル・ディスク、メモリカード等に構成して用いてよい。
【００３９】
またこの記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００４０】
また上記プログラムは、このプログラムを記憶装置等に格納したコンピュータシステムから伝送媒体を介して、あるいは伝送媒体中の伝送波により他のコンピュータシステムに伝送されるものであってよい。上記伝送媒体とは、インターネット等のネットワーク（通信網）や電話回線等の通信回線（通信線）のように、情報を伝送する機能を有する媒体をいうものとする。
【００４１】
また上記プログラムは、前述した機能の一部を実現するためであってもよい。さらに、前述した機能をコンピュータシステムに既に記録されているプログラムとの
組み合わせで実現できるもの、いわゆる差分ファイル（差分プログラム）であってもよい。
【００４２】
従って、このプログラム及び記録媒体を図の装置とは異なるシステム又は装置において用い、そのシステム又は装置のコンピュータがこのプログラムを実行することによっても、各実施の形態で説明した機能及び効果と同等の機能及び効果を得ることができ、本発明の目的を達成することができる。
【００４３】
【発明の効果】
以上説明したように本発明によれば、治療開始から所定時間が経過したとき、計測された治療回数・治療時間を記憶するように構成したので、これを表示することにより、施術者はユーザが用いた低周波治療装置の治療回数・治療時間を正しく把握して次回のパラメータの設定を行うことができる。
【００４４】
また、本発明によれば、スイッチングレギュレータのスイッチング素子のＯＮ・ＯＦＦと同期する他のスイッチング素子を設けてＯＦＦの期間に電源電圧を遮断するように構成したので、出力電圧を電源電圧以下にすることができる。
【図面の簡単な説明】
【図１】本発明の第１の実施の形態による低周波治療装置を示す外観図及び正面図である。
【図２】低周波治療装置の電気的な構成を示すブロック図である。
【図３】低周波治療装置の第１の実施の形態による動作を示すフローチャートである。
【図４】本発明の第２の実施の形態による低周波治療装置のパルス発生回路の要部を示す回路図である。
【図５】従来の低周波治療装置で用いられるパルス発生回路の要部を示す回路図である。
【符号の説明】
１：ＣＨ１出力アップ・ダウンＳＷ、２：ＣＨ２出力アップ・ダウンＳＷ、３：パラメータ設定アップ・ダウンＳＷ、４：パラメータ選択ＳＷ、５：出力モード選択ＳＷ、８：治療回数／治療時間表示ＳＷ、９：電源ＳＷ、１４：液晶表示部、１５，１６：低周波パルス出力端子、１７：電極、２０：電源、２１：ＣＰＵ、２２：メモリ
【図１】
2004337298.tif 000003
【図２】
2004337298.tif 000004
【図３】
2004337298.tif 000005
【図４】
2004337298.tif 000006
【図５】
2004337298.tif 000007